(57)【要約】  旋回できるように設計された移動体端末（３０，９０，１５０，１８０，２１０）であって、イヤーピース（受信ユニット）（５５，１１７）と、別個の専用の拡声器（５８，１２０，１６０，１９０，２１８）と、端末（３０，９０，１５０，１８０，２１０）が開位置にあるときは音をユーザの方に向けまた端末（３０，９０，１５０，１８０，２１０）が閉位置にあるときは音を異なる方向に出すようにする拡声器出口（６４，１２８，１７０，１７２，２００，２０２，２１４）とを含む。この別個の専用の拡声器変換器（５８，１２０，１６０，１９０，２１８）および拡声器出口（６４，１２８，１７０，１７２，２００，２０２，２１４）は、従来の受信機（またはイヤーピース）（５５，１１７）の位置から間隔をあけた位置から、別個のハンズフリー音声および警報信号を与える。これにより音響レベルをユーザに適したレベルに調整することができる。
2008523714.tif 000002
【特許請求の範囲】
【請求項１】
移動体端末（３０，１５０，２１０）であって、
前面（５０）および背面（７７）を有するハウジングを含むベース（３２，１５４，２１４）と、
旋回できるようにベース（３２，１５４，２１４）に取り付けられたフリップ（３４，１５２，２１２）であって、貫通する開口（６４，１７０，１７２，２２６）を持つハウジングを含み、開口（６６，１７０，１７２，２２６）はベース（３２，１５４，２１４）とフリップ（３４，１５２，２１２）との間の前記旋回取付けに隣接し、端末（３０，１５０，２１０）はフリップ（３４，１５２，２１２）がベース（３２，１５４，２１４）の前面（５０）から離れる方向に旋回して開いて伸びた位置とフリップ（３４，１５２，２１２）がベース（３２，１５４，２１４）の前面（５０）と向かい合う閉じた位置とを有する、フリップ（３４，１５２，２１２）と、
フリップ（３４，１５２，２１２）の内部に取り付けられて開口（６６，１７０，１７２，２２６）と音響的に通じる、音を生成する変換器（５８，１６０，２１８）と、
を備え、
開口（６６，１７０，１７２，２２６）は、端末（３０，１５０，２１０）が開位置にあるときはフリップ（３４，１５２，２１２）とベース（３２，１５４，２１４）の前面（５０）との間の環境に少なくとも部分的に接し、端末（３０，１５０，２１０）が閉位置にあるときはフリップ（３４，１５２，２１２）とベース（３２，１５４，２１４）の前面（５０）とから離れて環境に接する、
移動体端末（３０，１５０，２１０）。
【請求項２】
移動体端末（３０，１５０）はプレス・トーク機能性を有し、変換器（５８，１６０）はプレス・トーク拡声器である、請求項１記載の移動体端末（３０，１５０，２１０）。
【請求項３】
移動体端末（３０，１５０）はクラムシェル型である、請求項１記載の移動体端末（３０，１５０）。
【請求項４】
移動体端末（２１０）はジャックナイフ型である、請求項１記載の移動体端末（２１０）。
【請求項５】
ベース（３２）とフリップ（３４，１５２）との間の前記旋回取付けは少なくとも１つのヒンジ（３６，３８，１５６，１５８，２１６）を含む、請求項１記載の移動体端末（３０，１５０，２１０）。
【請求項６】
前記旋回取付けはベース（３２）の一端とフリップ（３４）の一端で行われ、ベース（３２）の２つの縁はベース（３２）の縁に沿うヒンジ（３６，３８）を持つ各端に垂直であり、フリップ（３４）の中央部（５２）は前記旋回取付けに隣接してヒンジ（３６，３８）の間に伸び、開口（６６）は中央部（５２）上に位置する、請求項５記載の移動体端末（３０）。
【請求項７】
前記旋回取付けはベース（１５４）の一端とフリップ（１５２）の一端で行われ、フリップ（１５２）の２つの縁はフリップ（１５２）の縁に沿うヒンジ（１５６，１５８）を持つ各端に垂直であり、ベース（１５４）の中央部は前記旋回取付けに隣接してヒンジ（１５６，１５８）の間に伸び、開口（１７０，１７２）は少なくとも１つのヒンジ（１５６，１５８）上に位置する、請求項５記載の移動体端末（１５０）。
【請求項８】
移動体端末（９０，１８０）であって、
ハウジングを含むフリップ（９４，１８２）と、
旋回できるようにフリップ（９４，１８２）に取り付けられて前面（１１０）および背面（１３７）を含むベース（９２，１８４）であって、ベース（９２，１８４）は貫通する開口（１２８，１８６，１８８）を持つハウジングを含み、開口（１２８，２００，２０２）はベース（９２，１８４）とフリップ（９４，１８２）との間の旋回取付けに隣接し、端末（９０，１８０）はフリップ（９４，１８２）がベース（９２，１８４）の前面（１１０）から離れる方向に旋回して開いて伸びた位置とフリップ（９４，１８２）がベース（９２，１８４）の前面（１１０）と向かい合う閉じた位置とを有する、ベース（９２，１８４）と、
ベース（９２，１８４）の内部に取り付けられて開口（１２８，１８６，１８８）と音響的に通じる、音を生成する変換器（１２０，１９０）と、
を備え、
開口（１２８，１８６，１８８）は、端末（９０，１８０）が開位置にあるときはフリップ（９４，１８２）とベース（９２，１８４）の前面（１１０）との間の環境に少なくとも部分的に接し、端末（９０，１８０）が閉位置にあるときはフリップ（９４，１８２）とベース（９２，１８４）の前面（１１０）とから離れて環境に接する、
移動体端末（９０，１８０）。
【請求項９】
フリップ（９４，１８２）は前面（１１８）および背面（１３４）を有し、端末（９０，１８０）が閉位置にあるときはフリップ（９４，１８２）はベース（９２，１８４）の前面（１１０）と向かい合いまたフリップ（９４，１８２）の前面（１１８）はベース（９２，１８４）の前面（１１０）と対向し、また更に、端末（９０，１８０）が開位置にあるときはベース（９２，１８４）の背面（１３７）とフリップ（９４，１８２）の背面（１３４）との間の旋回取付けの開口の回りに部分的に伸びる音反射体（１１４）を備える、請求項８記載の移動体端末（９０，１８０）。
【請求項１０】
移動体端末（９０，１８０）はプレス・トーク機能性を有し、変換器（１２０，１９０）はプレス・トーク拡声器である、請求項８記載の移動体端末（９０，１８０）。
【請求項１１】
移動体端末（９０，１８０）はクラムシェル型である、請求項８記載の移動体端末（９０，１８０）。
【請求項１２】
移動体端末（９０，１８０）はジャックナイフ型である、請求項８記載の移動体端末（９０，１８０）。
【請求項１３】
ベース（９２，１８４）とフリップとの間の前記旋回取付けは少なくとも１つのヒンジ（９６，９８，１８６，１８８）を含む、請求項８記載の移動体端末（９０，１８０）。
【請求項１４】
前記旋回取付けはベース（９２）の一端とフリップ（９４）の一端で行われ、フリップ（９４）の２つの縁はフリップの縁に沿うヒンジ（９６，９８）を持つ各端に垂直であり、ベース（９２）の中央部（１１２）は前記旋回取付けに隣接したヒンジ（９６，９８）の間に伸び、開口（１２８）は中央部（１１２）上に位置する、請求項１３記載の移動体端末（９０）。
【請求項１５】
前記旋回取付けはベース（１８４）の一端とフリップ（１８２）の一端で行われ、ベース（１８４）の２つの縁はベース（１８４）の縁に沿うヒンジ（１８６，１８８）を持つ各端に垂直であり、フリップ（１８２）の中央部（２０４）は接続に隣接してヒンジ（１８６，１８８）の間に伸び、開口（２００，２０２）は少なくとも１つのヒンジ（１８６，１８８）上に位置する、請求項１３記載の移動体端末（１８０）。
【請求項１６】
移動体端末（３０，１５０，２１０）を作る方法であって、
前面（５０）および背面（７７）を有するハウジングを含むベース（３２，１５４，２１４）を設け、
旋回できるようにフリップ（３４，１５２，２１２）をベース（３２，１５４，２１４）に取り付け、フリップ（３４，１５２，２１２）は貫通する開口（６６，１７０，１７２，２２６）を持つハウジングを含み、開口（６６，１７０，１７２，２２６）はベース（３２，１５４，２１４）とフリップ（３４，１５２，２１２）との間の前記旋回取付けに隣接し、端末（３０，１５０，２１０）はフリップ（３４，１５２，２１２）がベース（３２，１５４，２１４）の前面（５０）から離れる方向に旋回して開いて伸びた位置とフリップ（３４，１５２，２１２）がベース（３２，１５４，２１４）の前面（５０）と向かい合う閉じた位置とを有し、
音を生成する変換器（５８，１６０，２１８）をフリップ（３４，１５２，２１２）の内部に開口（６６，１７０，１７２，２２６）と音響的に通じるように取り付ける、
ことを含み、
開口（６６，１７０，１７２，２２６）は、端末（３０，１５０，２１０）が開位置にあるときはフリップ（３４，１５２，２１２）とベース（３２，１５４，２１４）の前面（５０）との間の環境に少なくとも部分的に接し、端末（３０，１５０，２１０）が閉位置にあるときはフリップ（３４，１５２，２１２）とベース（３２，１５４，２１４）の前面（５０）とから離れて環境に接する、  
移動体端末（３０，１５０，２１０）を作る方法。
【請求項１７】
移動体端末（９０，１８０）を作る方法であって、
ハウジングを含むフリップ（９４，１８２）を設け、
旋回できるようにベース（９２，１８４）をフリップ（９４，１８２）に取り付け、ベース（９２，１８４）は前面（１１０）および背面（１３７）を含み、ベース（９２，１８４）は貫通する開口（１２８，１８６，１８８）を持つハウジングを含み、開口（１２８，１８６，１８８）はベース（９２，１８４）とフリップ（９４，１８２）との間の前記旋回取付けに隣接し、端末（９０，１８０）はフリップ（９４，１８２）がベース（９２，１８４）の前面（１１０）から離れる方向に旋回して開いて伸びた位置とフリップ（９４，１８２）がベース（９２，１８４）の前面（１１０）と向かい合う閉じた位置とを有し、
音を生成する変換器（１２０，１９０）をベース（９２，１８４）の内部に開口（１２８，１８６，１８８）と音響的に通じるように取り付ける、
ことを含み、
開口（１２８，１８６，１８８）は、端末（９０，１８０）が開位置にあるときはフリップ（９４，１８２）とベース（９２，１８４）の前面（１１０）との間の環境に少なくとも部分的に接し、端末（９０，１８０）が閉位置にあるときはフリップ（９４，１８２）とベース（９２，１８４）の前面（１１０）から離れて環境に接する、
移動体端末（９０，１８０）を作る方法。
【発明の詳細な説明】
【技術分野】
【０００１】
本発明は音響装置の分野に関するもので、特に旋回できるように設計された移動体端末の拡声器に関するものである。
【背景技術】
【０００２】
携帯電話などの製品はユーザに聞こえる音を生成するための２つの装置を用いることが多い。変換器は受信機として作用する。ブザーなどの別個のユニットはユーザに「警報信号」を与える。警報信号は、電話がかかったときの呼出し音、電池残量が少なくなったことなどを示すシステム信号、および電子ゲーム用のトーンなどの他の音を含む。これらの警報音は一般に騒々しい環境で聞こえるだけの十分な音量を必要とする。第２のスピーカとしてブザーを用いる場合もある。この構成ではこの２つのスピーカは同様の機能を与える。すなわち、一方のスピーカはユーザが電話中に聞く音を与え、他方のスピーカは警報機能用の音を与える。この種の設計は、受信機またはイヤーピース・スピーカと、別個の高出力の拡声器とを備え、手に持って使う場合と或る程度離して使う場合にそれぞれ適した、音の出力レベルと周波数応答とを設定することができる。
【０００３】
クラムシェル型およびジャックナイフ型の移動体ハンドセットの或る設計では、ハンドセットが開いて伸びた位置にあるときとハンドセットが閉じた位置にあるときに音をハンドセットから放出することが望ましい。更に、最近の多くの移動体ハンドセットは、プッシュ・トーク（ＰＴＴ）型と呼ばれるハンドヘルドのウォーキー・トーキー型のオーディオを用いる。ＰＴＴが流行する１つの理由は、ユーザがハンドセットを耳の近くに手で持つ必要がないので便利だからである。しかし、ＰＴＴ機能を備えるためには移動体ハンドセットはいくつかの技術的要求を課せられる。
【発明の開示】
【発明が解決しようとする課題】
【０００４】
例えば建設現場、工場、高速道路、または市街などの騒々しい環境でも、手を伸ばした距離だけ耳から離れたところでも聞こえるオーディオ・レベルを出すには、ＰＴＴ装置はあまり大きな歪のない非常に高い音圧を作る能力がなければならない。このためには、かなり大型の音響変換器が必要である。また、ベースにフリップが取り付けられているクラムシェル型およびジャックナイフ型の移動体ハンドセットの中には、ハンドセットの中央点の近くのヒンジによりハンドセットを開閉するものがある。フリップがどちらの位置にあってもオーディオがはっきり聞こえることが好ましい。なぜなら、ユーザは電話を開位置にせずにＰＴＴ機能にアクセスしたいことが多いからである。ＰＴＴ機能を備える移動体ハンドセットの中には、ユーザがハンドセットを手に持たなくても使えるスピーカホン機能を含むものがあり、この場合は手を伸ばした距離より遠くでもオーディオがはっきり聞こえる必要がある。
【０００５】
したがって、望ましい移動体ハンドセット構成は、従来の音響受信機ユニットを用いてハンドセットのイヤーピースでの音響レベルおよび周波数特性を適当に調整し、離れて取り付けられた別個のスピーカを用いて多音および／または拡声機能を与え、開位置でも閉位置でもはっきりしたオーディオを与えるためにオーディオ警報および拡声器音響出力を一般にユーザに向けるものである。また、スピーカホン機能を持つハンドセット構成も必要である。
【課題を解決するための手段】
【０００６】
本発明の一つの実施の形態では、移動体端末は、ベースと、旋回できるようにベースに取り付けられたフリップと、フリップの内部に取り付けられて音を生成する変換器とを含む。変換器はフリップ内の出口開口と音響的に通じる。開口はベースとフリップとの間の旋回取付けに隣接し、ベースは前面を有する。端末は、フリップがベースの前面から離れる方向に旋回して開いて伸びた位置とフリップがベースの前面と向かい合う閉じた位置とを有する。
【０００７】
本発明の別の実施の形態では、移動体端末は、フリップと、旋回できるようにフリップに取り付けられたベースと、ベースの内部に取り付けられて音を生成する変換器とを含む。変換器はベース内の開口と音響的に通じる。開口はベースとフリップとの間の旋回取付けに隣接し、ベースは前面と背面とを有する。端末は、フリップがベースの前面から離れる方向に旋回して開いて伸びた位置と、フリップがベースの前面と向かい合う閉じた位置とを有する。
【０００８】
上記の２つの実施の形態のどちらの場合も、開口は、端末が開位置にあるときはフリップとベースの前面との間の環境に少なくとも部分的に接し、端末が閉位置にあるときはフリップとベースの前面とから離れて環境に接する。
【０００９】
本発明の別の実施の形態では、移動体端末を作る方法は、ベースを設け、旋回できるようにフリップをベースに取り付けることを含む。ベースは前面を有する。フリップ内に、ベースとフリップとの間の旋回取付けに隣接した開口がある。端末は、フリップがベースの前面から離れる方向に旋回して開いて伸びた位置とフリップがベースの前面と向かい合う閉じた位置とを有する。この方法は更に、音を生成する変換器をフリップの内部に開口と音響的に通じるように取り付けることを含む。
【００１０】
本発明の別の実施の形態では、移動体端末を作る方法は、フリップを設け、旋回できるようにベースをフリップに取り付けことを含む。ベースは前面を有する。ベース内に、ベースとフリップとの間の接続に隣接した開口がある。端末は、フリップがベースの前面から離れる方向に旋回して開いて伸びた位置と、フリップがベースの前面と向かい合う閉じた位置とを有する。この方法は更に、ベースの内部に向かって音を生成しまた開口と音響的に通じるように変換器を取り付けることを含む。
【００１１】
移動体端末を製作する上記の２つの実施の形態のどちらの場合も、開口は、端末が開位置にあるときはフリップとベースの前面との間の環境に少なくとも部分的に接し、端末が閉位置にあるときはフリップとベースの前面から離れて環境に接する。
【００１２】
本発明の別の実施の形態では、移動体端末からの音を向ける方法は端末内の変換器を刺激して音を生成することを含む。音は移動体端末内のベースとフリップとの間の旋回取付けに隣接する変換器から出る。ベースは前面を有する。フリップがベースの前面から離れる方向に旋回して開いて伸びた位置に端末があるとき、音は変換器から、フリップとベースの前面との間の環境に向けられる。そのときまたは他のときに、フリップがベースの前面と向かい合う閉じた位置に端末があるとき、音は変換器から、フリップとベースの前面との間から離れる方向に向けられる。
【００１３】
本発明の機能および利点は、添付の図面に示されているいくつかの実施の形態に関する以下の詳細な説明を読めば明らかになる。認識されるように、本発明は種々の点において、本発明から全く逸れることなく修正することができる。したがって、図面および説明は例とみなすべきであって、制限するものではない。
【実施例】
【００１４】
本発明は、クラムシェル型、ジャックナイフ型、またはその他の折畳みデザインを有する移動体端末に関するものである。ここで用いる「移動体端末」という用語は次のものを含んでよい。すなわち、セルラ無線電話（マルチライン・ディスプレイを備えても備えなくてもよい）や、パーソナル通信システム（ＰＣＳ）端末（セルラ無線電話とデータ処理やファクシミリやデータ通信の機能とを組み合わせたもの）や、ＰＤＡ（無線電話、ページャ、インターネット／イントラネット・アクセス、ウェブ・ブラウザ、オーガナイザ、カレンダ、および／または全地球測位システム（ＧＰＳ）受信機を含む）や、従来のラップトップおよび／またはパームトップ受信機、またはその他の機器や、パーソナル音楽再生システム（ＣＤ、ミニディスク、ＭＰ−３ファイル、メモリ・スティックなど）や、プレス・トーク機能を含む装置、などである。「ハンドセット」という用語は簡単のためにここに示す実施の形態を指すのに用いるが、本発明の範囲に、または「移動体端末」という用語に制限するわけではない。
【００１５】
ハンドセットは、フリップがベースから離れて伸びて開いた位置を有してよい。「フリップ」という用語はベースに対して畳んだり拡げたりするセルラ電話の部分を指すことが多いが、ここで用いる「フリップ」は任意の移動体端末の任意の同様の部分を指すものと理解すべきである。同様に、「ベース」という用語はフリップに対向する移動体端末の任意の部分を意味すると理解すべきであり、キーパッドを含めて移動体端末の電子回路の大部分を含むことがあり、またフリップより厚くてよい。フリップは、常にではないがディスプレイを含んでよく、１つ以上のヒンジによりベースに接続してよい。「頂部」、「底部」、「上」、「下」、「右」などの方向を示す用語は、実施の形態の方向を図面上で簡単に指すのに用いるものであり、別に必要でない限り、本発明を制限するものではないと理解すべきである。
【００１６】
本発明に係る位置決めおよび放出においては、移動体端末が開いて伸びた形でも閉じた形でも、ＰＴＴ機能を含むハンズフリー音声と警報信号の両方を与えるのに単一の変換器を用いてよい。場合に応じて、移動体端末の従来の位置にある受信機の周りの耳を塞ぐ領域から間隔をあけて変換器を置けば、特に内部構造を端末内に置く場合は、音響レベルをユーザに適したレベルに調整することができる。内部構造は、拡声器変換器と受信機変換器とを音響的に隔離するようにしてよい。
【００１７】
次に図面を参照すると、図１は本発明の一つの実施の形態に係るクラムシェル型の移動体端末またはハンドセット３０の正面図である。ハンドセット３０は伸びて開いた位置にあり、ベース３２とフリップ３４とはヒンジ３６，３８などの接続の回りに広がっている。ハンドセット３０のベース３２は、キーパッド４０、マイクロホン４２、音量／スクロール・ボタン４４、プレス・トーク・ボタン４６、およびスピーカホン・オンオフ・ボタン４８を納めてよい。種々の他の機能を備えてよく、またここに示す諸機能は必ずしもなくてよく、本発明の範囲を制限するものではない。ベース３２は前面５０および背面（図示しない）を有するハウジングである。ヒンジ３６，３８はベース３２の一部であってベース３２とフリップ３４とを接続し、フリップの中央の底部５２はヒンジの間に位置する。フリップ３４はハウジングであって、ディスプレイ５４、従来の位置にある受信機５５、およびその他の機能を含んでよく、また前面５６および背面（図示しない）を有する。出口開口５７は受信機が生成した音を、フリップ前面５６を通して出す。ここではフリップ３４がベースの上に位置するように示したが、フリップをベースから下に折り畳むなどの他の構成も可能である。
【００１８】
図１のハンドセットでは、変換器５８は隠れ線で示すようにフリップ３４の内部に取り付ける。取付けは当業者に周知の方法を用いてよい。変換器５８は音を生成する任意の適当なタイプでよく、例えば、図に示すように磁石６０およびダイアフラム６２を含んでよい。変換器５８からフリップ３４の底部の中央部５２まで音響通路６４が形成され、これにより変換器はフリップ内の出口開口６６と音響的に通じる。図に示すように、ハンドセット３０が開位置にあるとき、音響通路６４の出口開口６６はハンドセットの前方に向き、ユーザの顔または耳の前にハンドセットを保持して或る程度離して用いるときユーザに面する。開口６６はフリップの前面５６とベースの前面５０の間の環境に接するので、音６８は同じ環境の方に、そしてユーザの方に向かう。変換器５８の位置は受信機５５の従来の位置から離れているので、音響レベルをユーザに適したレベルに調整することができる。また、内部構造をハンドセット内に置くことにより、拡声器変換器５８と受信機変換器５５との間を音響的に隔離することができる。
【００１９】
図２に示すように、フリップ３４はフリップ背面７４上に、ディスプレイ７０と、ベース３２内のマイクロホン４２とは別のマイクロホン７２とを含んでよい。別のマイクロホン７２は、フリップを閉じてベース内のマイクロホン４２をふさいだときに特に望ましい。ハンドセット３０は閉位置にあり、フリップ３４の前面５６（図１）はベース３２の前面５０と向かい合って直接に対向する。「向かい合う」とは、ハンドセットが閉位置にあるときのように、フリップとベースの前面の位置が合うことを意味する。変換器５８からの音響通路６４の開口６６は上向きになり、ベース３２の前面５０およびフリップ３４の前面５６から離れて環境の方に向く。このように、開位置でも閉位置でも、同じ変換器５８が音６８をハンドセット３０から環境に向けて直接に放出する。これはフリップ３４内の出口開口６６がベース３２に対して回転することにより実現する。
【００２０】
図３および図４は開位置および閉位置にあるハンドセット３０の簡単な右側面図をそれぞれ示す。矢印７６で示すようにベース３２とフリップ３４とを相対的に旋回させるとハンドセット３０は開位置または閉位置になる。ヒンジ３６，３８はフリップ３４の底部の中央部５２の外側にあり（図１参照）、したがって図３および図４では右側のヒンジ３８が見える。図４の閉位置では、フリップの背面７４とベースの背面７７とがハンドセット３０の外面を形成する。
【００２１】
図５および図６は開位置および閉位置にあるハンドセット３０の簡単な部分断面図をそれぞれ示す。フリップ３４の底の中央部５２は、図５ではハンドセット３０の中心にあり、図６ではハンドセットが閉位置にあるのでハンドセット３０の上端にあるのが分かる。図３および図５に示すように、ハンドセットの前面５０，５６がユーザに面するとき、音響通路６４の開口６６は音６８をハンドセット３０の前方の環境の方に、すなわちユーザの方に向ける。下向きの音６８はベースの前面５０によりユーザの方に反射される。図４および図６は、音響通路６４および開口６６が一般に上向きになるまでハンドセット３０を回転して閉位置にしたときに、一般に下向きに放出される音６８の方向が変わって、単一の変換器５８からの音がユーザに聞こえるようになることを示す。ハンドセット３０を閉じて例えばポケットの中に入れたとき、この方向は特に有用である。なぜなら、音はポケットから上向きにユーザの方に向かうからである。
【００２２】
本発明の種々の実施の形態で種々の機能を実現することができる。例えば、ハンドセットはプレス・トーク機能を有してよく、また変換器はプレス・トーク拡声器でよい。変換器はダイナミック・マイクロホンと拡声器の両方の機能を有してよい。変換器はハンズフリー音声と警報信号の両方の音を与えてよい。ハンドセットが開位置か閉位置かに従って、変換器が与える音圧レベルを自動的に変える音量制御装置を備えてよい。
【００２３】
図７は本発明の別の実施の形態に係る、クラムシェル型の移動体端末またはハンドセット９０の正面図である。ハンドセット９０は伸びて開いた位置にあり、やはりベース９２とフリップ９４はヒンジ９６，９８などの接続の回りに広がっている。図１のハンドセット３０の場合と同様に、ハンドセット９０のベース９２は、キーパッド１００、マイクロホン１０２、音量／スクロール・ボタン１０４、プレス・トーク・ボタン１０６、およびスピーカホン・オンオフ・ボタン１０８を納めてよい。ベース９２は前面１１０および背面（図示しない）を有するハウジングである。ヒンジ９６，９８はフリップの一部であってベース９２とフリップ９４とを接続し、ベースの中央の頂部１１２はヒンジの間に位置する。フリップにつながるオプションの音反射体（すなわち、リップ１１４）がヒンジ９６と９８との間に伸びて、音をハンドセット９０の前方に反射する。ハンドセットが開位置のとき、リップ１１４はベース９２とフリップ９４との間の隙間を実質的にふさいでよい。フリップ９４はハウジングであって、ディスプレイ１１６、従来の位置にある受信機１１７、およびその他の機能を含んでよく、また前面１１８および背面（図示しない）を有する。開口１１９は受信機が生成した音を、フリップの前面１１８を通して出す。
【００２４】
変換器１２０はベース９２の内部に、当業者に周知の方法で取り付ける。変換器は図に示すような磁石１２２およびダイアフラム１２４、または音を生成するのに適した他の変換器構成要素を含んでよい。変換器１２０からベース９２の中央の頂部１１２まで音響通路１２６が形成され、これにより変換器１２０はベース内の開口１２８と音響的に通じる。ハンドセット９０が開位置にあるとき、音響通路１２６の開口１２８は上向きになる。リップ１１４は音１３０をハンドセット９０の後方から前方に反射する。ハンドセット９０は、ユーザの顔または耳の前方に或る程度離して持って用いるときユーザに面する。開口１２８はフリップ前面１１８とベース前面１１０との間の環境に接するので、音１３０は同じ環境の方に、そして一般にユーザの方に向かう。
【００２５】
図８に示すように、フリップ９４はまた背面１３４上に、ディスプレイ１３２と、ベース９２内のマイクロホン１０２とは別のマイクロホン１３５とを含んでよい。ハンドセット９０は閉位置にあり、フリップ９４の前面１１８（図７）はベース９２の前面１１０と向かい合う。変換器１２０からの音響通路１２６の開口１２８は上向きになり、ベース９２の前面１１０およびフリップ９４の前面１１８から離れて環境の方に向く。したがって、図1および図２の実施の形態と同様に、開位置でも閉位置でも、同じ変換器１２０が音１３０をハンドセット９０から環境に向けて直接に放出する。これはベース９２内の開口１２８がフリップ９４に対して回転することにより実現する。
【００２６】
図９および図１０は開位置および閉位置にあるハンドセット９０の簡単な右側面図をそれぞれ示す。矢印１３６で示すようにベース９２とフリップ９４とを相対的に旋回させるとハンドセットは開位置または閉位置になる。ヒンジ９６，９８はベース９２の頂部の中央部１１２の外側にあり（図７）、したがって図９および図１０では右側のヒンジ９８が見える。図１０の閉位置では、フリップ背面１３４とベース背面１３７とがハンドセット９０の外面を形成する。ベース背面１３７に完全に接触させるには、リップ１１４を曲面にする必要がある。
【００２７】
図１１−１２および図１３−１４は、開位置および閉位置にあるハンドセット９０の簡単な断面図をそれぞれ示す。これらの図ではベース９２の頂部の中央部１１２が見える。図９，１１，１２に示すように、ハンドセットの前面１１０，１１８がユーザに面するとき、音響通路１２６の開口１２８は音を一般に上方に向け、フリップ９４およびリップ１１４（図１１−１２）は音１３０をハンドセット９０の前方の環境の方に、すなわちユーザの方に向けて反射する。図１０，１３，１４は音響通路１２６および開口１２８が一般に上向きになるまで回転してハンドセット９０を閉位置にしたとき、単一の変換器１２０からの音１３０がユーザに聞こえるようになることを示す。
【００２８】
図１５および図１６は、本発明の別の実施の形態に係るクラムシェル型のハンドセットの簡単な正面図を示す。図１５のハンドセット１５０では、フリップ１５２はヒンジ１５６，１５８により旋回できるようにベース１５４に接続する。変換器１６０はフリップ１５２の内部に取り付けられ、音１６２，１６４は音響通路１６６，１６８および開口１７０，１７２を介して、フリップの一部であるヒンジ１５６，１５８を通して出る。ベース１５４の中央部１７４はヒンジ１５６，１５８の間に位置する。図１６のハンドセットでは、フリップ１８２はヒンジ１８６，１８８により旋回できるようにベース１８４に接続する。変換器１９０はベース１８４に取り付けられ、音１９２，１９４は音響通路１９６，１９８および開口２００，２０２を介して、ベース１８４の一部であるヒンジ１８６，１８８を通して出る。フリップ１８２の中央部２０４はヒンジ１８６，１８８の間に位置する。図１および図７の実施の形態に関して前に述べたように、ハンドセット１５０，１８０の出口開口は対向するフリップまたはベースに対して回転して、ハンドセットの開位置でも閉位置でも、場合に応じて環境に接して可聴音を向ける。
【００２９】
図１７−１９は、本発明の別の実施の形態に係るジャックナイフ型のハンドセット２１０の簡単な正面図を示す。ハンドセット２１０では、フリップ２１２はヒンジ２１６により旋回できるようにベース２１４に接続する。変換器２１８はフリップ２１２の内部に取り付けられ、ハンドセット２１０が開位置にあるか（図１７）閉位置にあるか（図１９）に従って、音２２０はヒンジ２１６内の２つの音響通路２２２，２２４の一方を通して出る。図１８からよく分かるように、フリップ２１２が回転しても音響通路２２２，２２４は回転しない。ハンドセット２１０が開位置にあるとき（図１７）は、開口２２６は音響通路２２４と合う。ハンドセット２１０が閉位置にあるとき（図１９）は、開口２２６は音響通路２２２と合う。フリップ２１２が開位置と閉位置との間にあるとき（図１８）は、開口２２６は音響通路２２２，２２４のどちらとも合わない。フリップ内に開口を有する前の実施の形態に関して前に説明したように、ハンドセット２１０の開口はベースに対して回転して、ハンドセットの開位置でも閉位置でも、環境に接して可聴音を向ける。または、変換器２１８をベース２１４内またはヒンジ２１６内に取り付けて、ハンドセットを旋回させて開いた構成または閉じた構成にしたときに、音響通路および出口開口が音の向きを場合に応じて変えるようにすることができる。
【００３０】
音響技術の当業者が容易に認識するように、本発明は別の環境では別の応用を有する。また当業者が理解するように、変換器を移動体端末のハウジングに取り付けるときのここに示す位置や相対的サイズは単なる例であって、望ましい音響出力を得るのに必ずしも最も効率的で望ましいものではない。実際のところ、多くの実施の形態や実施例が可能である。多くの種類の変換器や、音響通路および出口開口のレイアウトを用いてよい。音響通路の大きさ、長さ、および方向も、音響性能が最適になるように調整してよい。特許請求の範囲は本発明の範囲をここに説明した特定の実施の形態に限定するものではない。上述の修正や種々の他の変更や削除や追加は、本発明の精神と範囲から逸れることなく行うことができることを当業者は理解すべきである。
【図面の簡単な説明】
【００３１】
【図１】本発明の或る実施の形態に係る、開位置にある移動体ハンドセットの正面図である。
【図２】閉位置にある図１の移動体ハンドセットの正面図である。
【図３】開位置にある図１の移動体ハンドセットの簡単な右側面図である。
【図４】閉位置にある図１の移動体ハンドセットの簡単な右側面図である。
【図５】図１の線５−５における、開位置にある図１の移動体ハンドセットの簡単な部分断面図である。
【図６】図２の線６−６における、閉位置にある図１の移動体ハンドセットの簡単な部分断面図である。
【図７】本発明の別の実施の形態に係る、開位置にある移動体ハンドセットの正面図である。
【図８】閉位置にある図７の移動体ハンドセットの正面図である。
【図９】開位置にある図７の移動体ハンドセットの簡単な右側面図である。
【図１０】閉位置にある図７の移動体ハンドセットの簡単な右側面図である。
【図１１】図７の線１１−１１における、開位置にある図７の移動体ハンドセットの簡単な断面図である。
【図１２】図１１の断面図の一部の拡大詳細図である。
【図１３】図８の線１３−１３における、閉位置にある図７の移動体ハンドセットの簡単な断面図である。
【図１４】図１３の断面図の一部の拡大詳細図である。
【図１５】本発明の別の実施の形態に係る移動体ハンドセットの簡単な正面図である。
【図１６】本発明の別の実施の形態に係る移動体ハンドセットの簡単な正面図である。
【図１７】本発明の別の実施の形態に係る移動体ハンドセットの簡単な正面図である。
【図１８】本発明の別の実施の形態に係る移動体ハンドセットの簡単な正面図である。
【図１９】本発明の別の実施の形態に係る移動体ハンドセットの簡単な正面図である。
【図１】
2008523714.tif 000003
【図２】
2008523714.tif 000004
【図３】
2008523714.tif 000005
【図４】
2008523714.tif 000006
【図５】
2008523714.tif 000007
【図６】
2008523714.tif 000008
【図７】
2008523714.tif 000009
【図８】
2008523714.tif 000010
【図９】
2008523714.tif 000011
【図１０】
2008523714.tif 000012
【図１１】
2008523714.tif 000013
【図１２】
2008523714.tif 000014
【図１３】
2008523714.tif 000015
【図１４】
2008523714.tif 000016
【図１５】
2008523714.tif 000017
【図１６】
2008523714.tif 000018
【図１７】
2008523714.tif 000019
【図１８】
2008523714.tif 000020
【図１９】
2008523714.tif 000021
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
移動体端末（３０，９０，１５０，１８０，２１０）であって、
前面（５０，１１０）および背面（７７，１３７）を有するハウジングを含むベース（３２，９２，１５４，１８４，２１４）と、
旋回できるようにベース（３２，９２，１５４，１８４，２１４）に取り付けられまたハウジングを含むフリップ（３４，９４，１５２，１８２，２１２）と、
開口（６４，１２８，１７０，１７２，２００，２０２，２２６）であって、前記フリップ・ハウジングまたはベース・ハウジングを貫通し、ベース（３２，９２，１５４，１８４，２１４）とフリップ（３４，９４，１５２，１８２，２１２）との間の前記旋回取付けに位置する、開口（６４，１２８，１７０，１７２，２００，２０２，２２６）と、
開口を有するハウジング（３４，９４，１５２，１８２，２１２）の内部に取り付けられて開口（６６，１２８，１７０，１７２，２００，２０２，２２６）と音響的に通じる、音を生成する変換器（５８，１２０，１６０，１９０，２１８）と、
を特徴とし、
端末（３０，９０，１５０，１８０，２１０）は、フリップ（３４，９４，１５２，１８２，２１２）がベース（３２，９２，１５４，１８４，２１４）の前面（５０，１１０）から離れる方向に旋回して開いて伸びた位置とフリップ（３４，９４，１５２，１８２，２１２）がベース（３２，９２，１５４，１８４，２１４）の前面（５０，１１０）と向かい合う閉じた位置とを有し、
開口（６４，１２８，１７０，１７２，２００，２０２，２２６）は、端末（３０，９０，１５０，１８０，２１０）が開位置にあって開口（６４，１２８，１７０，１７２，２００，２０２，２２６）がフリップ（３４，９４，１５２，１８２，２１２）とベース（３２，９２，１５４，１８４，２１４）の前面（５０，１１０）とから離れて環境から塞がれるときはフリップ（３４，９４，１５２，１８２，２１２）とベース（３２，９２，１５４，１８４，２１４）の前面（５０，１１０）との間の環境に少なくとも部分的に接し、端末（３０，９０，１５０，１８０，２１０）が閉位置にあるときはフリップ（３４，９４，１５２，１８２，２１２）とベース（３２，９２，１５４，１８４，２１４）の前面（５０，１１０）とから離れて環境に接する、
移動体端末（３０，９０，１５０，１８０，２１０）。
【請求項２】
移動体端末（３０，９０，１５０，１８０，２１０）はプレス・トーク機能性を有し、変換器（５８，１２０，１６０，１９０）はプレス・トーク拡声器である、請求項１記載の移動体端末（３０，９０，１５０，１８０，２１０）。
【請求項３】
移動体端末（３０，９０，１５０，１８０）はクラムシェル型である、請求項１記載の移動体端末（３０，９０，１５０，１８０）。
【請求項４】
移動体端末（９０，１８０，２１０）はジャックナイフ型である、請求項１記載の移動体端末（９０，１８０，２１０）。
【請求項５】
ベース（３２，９２，１８４）とフリップ（３４，９４，１５２，１８２）との間の前記旋回取付けは少なくとも１つのヒンジ（３６，３８，９６，９８，１５６，１５８，１８６，１８８，２１６）を含む、請求項１記載の移動体端末（３０，９０，１５０，１８０，２１０）。
【請求項６】
開口（６４，１７０，１７２，２２６）はフリップのハウジングを貫通し、前記旋回取付けはベース（３２）の一端とフリップ（３４）の一端で行われ、ベース（３２）の２つの縁はベース（３２）の縁に沿うヒンジ（３６，３８）を持つ各端に垂直であり、フリップ（３４）の中央部（５２）は前記旋回取付けにあってヒンジ（３６，３８）の間に伸び、開口（６６）は中央部（５２）上に位置する、請求項５記載の移動体端末（３０）。
【請求項７】
開口（６４，１７０，１７２，２２６）はフリップのハウジングを貫通し、前記旋回取付けはベース（１５４）の一端とフリップ（１５２）の一端で行われ、フリップ（１５２）の２つの縁はフリップ（１５２）の縁に沿うヒンジ（１５６，１５８）を持つ各端に垂直であり、ベース（１５４）の中央部は前記旋回取付けにあってヒンジ（１５６，１５８）の間に伸び、開口（１７０，１７２）は少なくとも１つのヒンジ（１５６，１５８）上に位置する、請求項５記載の移動体端末（１５０）。
【請求項８】
開口（１２８，２００，２０２）はベースのハウジングを貫通し、フリップ（９４，１８２）は前面（１１８）および背面（１３４）を有し、端末（９０，１８０）が閉位置にあるときはフリップ（９４，１８２）はベース（９２，１８４）の前面（１１０）と向かい合いまたフリップ（９４，１８２）の前面（１１８）はベース（９２，１８４）の前面（１１０）と対向し、また更に、端末（９０，１８０）が開位置にあるときはベース（９２，１８４）の背面（１３７）とフリップ（９４，１８２）の背面（１３４）との間の旋回取付けの開口の回りに部分的に伸びる音反射体（１１４）を備える、請求項１記載の移動体端末（９０，１８０）。
【請求項９】
開口（１２８，２００，２０２）はベースのハウジングを貫通し、前記旋回取付けはベース（９２）の一端とフリップ（９４）の一端で行われ、フリップ（９４）の２つの縁はフリップの縁に沿うヒンジ（９６，９８）を持つ各端に垂直であり、ベース（９２）の中央部（１１２）は前記旋回取付けにあってヒンジ（９６，９８）の間に伸び、開口（１２８）は中央部（１１２）上に位置する、請求項５記載の移動体端末（９０）。
【請求項１０】
開口（１２８，２００，２０２）はベースのハウジングを貫通し、前記旋回取付けはベース（１８４）の一端とフリップ（１８２）の一端で行われ、ベース（１８４）の２つの縁はベース（１８４）の縁に沿うヒンジ（１８６，１８８）を持つ各端に垂直であり、フリップ（１８２）の中央部（２０４）は接続にあってヒンジ（１８６，１８８）の間に伸び、開口（２００，２０２）は少なくとも１つのヒンジ（１８６，１８８）上に位置する、請求項５記載の移動体端末（１８０）。
【請求項１１】
移動体端末（３０，９０，１５０，１８０，２１０）を作る方法であって、
前面（５０，１１０）および背面（７７，１３７）を有するハウジングを含むベース（３２，９２，１５４，１８４，２１４）を設け、
旋回できるようにフリップ（３４，９４，１５２，１８２，２１２）をベース（３２，９２，１５４，１８４，２１４）に取り付け、フリップ（３４，９４，１５２，１８２，２１２）は前記フリップのハウジングまたはベースのハウジング内に開口（６６，１２６，１７０，１７２，１８６，１８８，２２６）を持つハウジングを含み、
ベース（３２，９２，１５４，１８４，２１４）とフリップ（３４，９４，１５２，１８２，２１２）との間の前記旋回取付けに開口（６６，１２６，１７０，１７２，１８６，１８８，２２６）を設け、
開口（６６，１２６，１７０，１７２，１８６，１８８，２２６）を有するハウジングの内部に、また開口（６６，１２６，１７０，１７２，１８６，１８８，２２６）と音響的に通じるように、音を生成する変換器（５８，１２０，１６０，１９０，２１８）を取り付け、
端末（３０，９０，１５０，１８０，２１０）は、フリップ（３４，９４，１５２，１８２，２１２）がベース（３２，９２，１５４，１８４，２１４）の前面（５０，１１０）から離れる方向に旋回して開いて伸びた位置とフリップ（３４，９４，１５２，１８２，２１２）がベース（３２，９２，１５４，１８４，２１４）の前面（５０，１１０）と向かい合う閉じた位置とを有し、
開口（６６，１２６，１７０，１７２，１８６，１８８，２２６）は、端末（３０，９０，１５０，１８０，２１０）が開位置にあって開口（６６，１２６，１７０，１７２，１８６，１８８，２２６）がフリップ（３４，９４，１５２，１８２，２１２）とベース（３２，９２，１５４，１８４，２１４）の前面（５０，１１０）とから離れて環境から塞がれるときはフリップ（３４，９４，１５２，１８２，２１２）とベース（３２，９２，１５４，１８４，２１４）の前面（５０，１１０）との間の環境に少なくとも部分的に接し、端末（３０，９０，１５０，１８０，２１０）が閉位置にあるときはフリップ（３４，９４，１５２，１８２，２１２）とベース（３２，９２，１５４，１８４，２１４）の前面（５０，１１０）とから離れて環境に接する、
移動体端末（３０，９０，１５０，１８０，２１０）を作る方法。
【手続補正２】
【補正対象書類名】明細書
【補正対象項目名】０００３
【補正方法】変更
【補正の内容】
【０００３】
クラムシェル型およびジャックナイフ型の移動体ハンドセットの或る設計では、ハンドセットが開いて伸びた位置にあるときとハンドセットが閉じた位置にあるときに音をハンドセットから放出することが望ましい。例えば、２００５年１１月９日に発行されたＥＰ第１，５９４，２９５号は「携帯用端末装置（Ｐｏｒｔａｂｌｅ  Ｔｅｒｍｉｎａｌ  Ｄｅｖｉｃｅ）」を開示している。更に、最近の多くの移動体ハンドセットは、プッシュ・トーク（ＰＴＴ）型と呼ばれるハンドヘルドのウォーキー・トーキー型のオーディオを用いる。ＰＴＴが流行する１つの理由は、ユーザがハンドセットを耳の近くに手で持つ必要がないので便利だからである。しかし、ＰＴＴ機能を備えるためには移動体ハンドセットはいくつかの技術的要求を課せられる。
【手続補正３】
【補正対象書類名】明細書
【補正対象項目名】０００６
【補正方法】変更
【補正の内容】
【０００６】
本発明の或る実施の形態では、移動体端末は、ベースと、旋回できるようにベースに取り付けられたフリップと、フリップの内部に取り付けられて音を生成する変換器とを特徴とする。変換器はフリップ内の出口開口と音響的に通じる。開口はベースとフリップとの間の旋回取付けに隣接し、ベースは前面を有する。端末は、フリップがベースの前面から離れる方向に旋回して開いて伸びた位置とフリップがベースの前面と向かい合う閉じた位置とを有する。
【手続補正４】
【補正対象書類名】明細書
【補正対象項目名】０００７
【補正方法】変更
【補正の内容】
【０００７】
本発明の別の実施の形態では、移動体端末は、フリップと、旋回できるようにフリップに取り付けられたベースと、ベースの内部に取り付けられて音を生成する変換器とを特徴とする。変換器はベース内の開口と音響的に通じる。開口はベースとフリップとの間の旋回取付けに隣接し、ベースは前面と背面とを有する。端末は、フリップがベースの前面から離れる方向に旋回して開いて伸びた位置と、フリップがベースの前面と向かい合う閉じた位置とを有する。
【手続補正５】
【補正対象書類名】明細書
【補正対象項目名】００３０
【補正方法】変更
【補正の内容】
【００３０】
音響技術の当業者が容易に認識するように、本発明は別の環境では別のアプリケーションを有する。また当業者が理解するように、変換器を移動体端末のハウジングに取り付けるときのここに示す位置や相対的サイズは単なる例であって、望ましい音響出力を得るのに必ずしも最も効率的で望ましいものではない。実際のところ、多くの実施の形態や実施例が可能である。多くの種類の変換器や、音響通路および出口開口のレイアウトを用いてよい。音響通路の大きさ、長さ、および方向も、音響性能が最適になるように調整してよい。特許請求の範囲は本発明の範囲をここに説明した特定の実施の形態に限定するものではない。上述の修正や種々の他の変更や削除や追加は、本発明の範囲から逸れることなく行うことができることを当業者は理解すべきである。
【国際調査報告】
2008523714.tif 000022
2008523714.tif 000023
2008523714.tif 000024